(57)【要約】【課題】  遊びを設けた場合でも連結ギヤと被連結ギヤの干渉がなく、ギヤが破損することがないとともに、プロセスカートリッジの取り付けに際する操作性もよい画像形成装置の駆動装置を提供すること。【解決手段】  画像形成装置本体に対して着脱可能に設けたプロセスカートリッジを、該本体に取り付けたとき、プロセスカートリッジ側の連結ギヤを本体側の被連結ギヤに噛み合わせ、本体側の駆動源の回転を被連結ギヤを介してプロセスカートリッジ側の連結ギヤに伝達して駆動する画像形成装置の駆動装置において、被連結ギヤは駆動源と直接的又は間接的に連結して回転可能な第１ギヤ（１５）と連絡ギヤと噛み合う第２ギヤ（１６）とからなり、第１ギヤと第２ギヤの間には第２ギヤが第１ギヤに対して第１ギヤの回転方向に相対的に所定量移動可能とする遊び２２が設けられているとともに、第２ギヤを遊び内で第１ギヤの回転方向とは逆方向に付勢する付勢部材（２３，２４）を備えていることを特徴とする。【選択図】      図３
2008145877.tif 000002
【特許請求の範囲】
【請求項１】
画像形成装置本体に対して着脱可能に設けたプロセスカートリッジを、該本体に取り付けたとき、プロセスカートリッジ側の連結ギヤを本体側の被連結ギヤに噛み合わせ、本体側の駆動源の回転を前記被連結ギヤを介してプロセスカートリッジ側の連結ギヤに伝達して駆動する画像形成装置の駆動装置において、
前記被連結ギヤは駆動源と直接的又は間接的に連結して回転可能な第１ギヤと前記連絡ギヤと噛み合う第２ギヤとからなり、前記第１ギヤと第２ギヤの間には第２ギヤが第１ギヤに対して第１ギヤの回転方向に相対的に所定量移動可能とする遊びが設けられているとともに、第２ギヤを前記遊び内で第１ギヤの回転方向とは逆方向に付勢する付勢部材を備えていることを特徴とする画像形成装置の駆動装置。
【請求項２】
請求項１に記載の駆動装置において、プロセスカートリッジの取り付け方向は、遊び内を第２ギヤが移動する方向と同じ向きとなっていることを特徴とする画像形成装置の駆動装置。
【請求項３】
請求項１又は２に記載の駆動装置において、第１ギヤと第２ギヤは、同じ軸上で、且つ所定量だけ相対的に回動自在に構成されていることを特徴とする画像形成装置の駆動装置。
【請求項４】
請求項１ないし３のいずれかに記載の駆動装置において、付勢部材は、弾性体からなっていることを特徴とする画像形成装置の駆動装置。
【請求項５】
請求項４に記載の駆動装置において、弾性体は、引張りスプリング、圧縮スプリング、あるいは板バネのいずれかであることを特徴とする画像形成装置の駆動装置。
【請求項６】
請求項１ないし５のいずれかに記載の駆動装置において、遊びは、第１ギヤに設けられた孔部と、該孔部に嵌合する第２ギヤの突起部との間であって、第１ギヤの回転方向側に設けられていることを特徴とする画像形成装置の駆動装置。
【請求項７】
請求項６に記載の駆動装置において、孔部と突起部は、複数設けられていることを特徴とする画像形成装置の駆動装置。
【請求項８】
請求項６又は７に記載の駆動装置において、孔部と突起部の間に緩衝材が設けられていることを特徴とする画像形成装置の駆動装置。
【請求項９】
請求項１ないし８のいずれかに記載の駆動装置において、遊びは、第２ギヤの少なくとも一歯以上の間隔で設けられていることを特徴とする画像形成装置の駆動装置。
【請求項１０】
請求項１ないし９のいずれかに記載の駆動装置において、第１ギヤは金属製であり、第２ギヤは樹脂製であることを特徴とする画像形成装置の駆動装置。
【発明の詳細な説明】
【技術分野】
【０００１】
この発明は、複写機、ファクシミリ、プリンタ等の画像形成装置の駆動装置に関するものである。
【背景技術】
【０００２】
従来、例えばレーザプリンタの中に、メンテナンス時の便宜性等を考慮し、回転体である感光体ドラムを、帯電・書込み・現像・クリーニング等にかかわる手段の全部または一部とともにユニット化して１つのプロセスカートリッジを構成し、そのプロセスカートリッジを、プリンタ本体内で左右に対向して設ける側板間に着脱自在に取り付けて交換可能としたものがある。これは、下記特許文献１の図９に示すようなもので、例えばその交換時、新しいプロセスカートリッジを取り付けるときは、正面カバーを開け、プロセスカートリッジの両側端部に設ける位置決めボス部１を、それぞれ対向側板２に設けるガイド溝２ａに係合し、そのガイド溝２ａに沿ってすべらせて奥側の所定位置へと挿入する。そして、感光体ドラムの連結ギヤ３をプリンタ本体側の被連結ギヤ４に噛み合わせ、その被連結ギヤ４を含む図示しないギヤ伝達手段Ｇを介して駆動モータの回転を感光体ドラムに伝達できるようにしていた。しかし、このようにプロセスカートリッジを取り付けるとき、連結ギヤ３と被連結ギヤ４を噛み合わせるものでは、この取り付け時に連結ギヤ３が被連結ギヤ４と干渉してしまい、操作性が悪いといったことや、連結ギヤと被連結ギヤの歯先が当たって破損するといった問題があった。
【０００３】
それを回避するために、ギヤ伝達手段Ｇの上流側の部材、例えば駆動伝達ギヤ５３に対して下流側の部材、例えばプリンタ本体側の被連結ギヤ５４に回転伝達方向ａの遊びを設けるもの（特許文献１）、またはプロセスカートリッジを取り外す際に、モータ２０を逆回転などさせてプロセスカートリッジを容易に取り外せるようにしたもの（特許文献２）が提案されていた。
【０００４】
すなわち、特許文献１では、例えばプリンタ本体内に着脱自在に取り付ける感光体ドラムのような回転体を、駆動モータでギヤ伝達手段を介して駆動する回転体駆動装置において、回転体を取り付ける際の操作性を向上するため、プリンタ本体内に備えるギヤ伝達手段として同軸上に、駆動伝達ギヤ５３と、被連結ギヤ５４を備える。それらの対向する側面には各々２つの突起部５３ｂ，５４ｃを設け、それらの突起部を、駆動伝達ギヤ５３に対して被連結ギヤ５４に回転伝達方向の遊びを設けるように係合する。これにより、ガイド部４５ａで案内してプロセスカートリッジを取り付けるとき、感光体ドラムの連結ギヤ５５が被連結ギヤ５４と干渉すると、遊びに基づき被連結ギヤ５４が回転伝達方向に回転して連結ギヤ５５に噛み合う。
【０００５】
特許文献２では、本体に対して着脱自在に構成されるプロセスカートリッジを本体に装着したときに、プロセスカートリッジに設けた被駆動ギヤ２４を本体側に設けた駆動ギヤ２２にシフトギヤ２３を介して噛み合わせ、駆動ギヤ２２を駆動モータ２０により回転駆動することによってプロセスカートリッジを駆動するように構成し、前記駆動モータがその停止時に一定量だけ逆転した後に停止するよう制御する。従って、プロセスカートリッジを本体から取り出す際に駆動ギヤ２２だけを逆回転させることが可能となり、この結果、プロセスカートリッジを容易に取り出すことができるようになる。
【特許文献１】特開平１１−３１５８９１号公報
【特許文献２】特開平０４−２８０２７３号公報
【発明の開示】
【発明が解決しようとする課題】
【０００６】
しかしながら、特許文献１の場合では、遊びを設けていてもプロセスカートリッジを取り付ける際に、被連結ギヤが連結の際に逃げる方向に突き当たった状態では、ギヤは干渉してしまい、つまり連結ギヤと被連結ギヤの歯先と歯先が当たってしまい、ギヤが破損してしまうという問題があった。また、特許文献２の場合では、駆動ギヤを逆回転させるだけではプロセスカートリッジを装着する際に、装着しにくく操作性が悪いといった問題があった。
【０００７】
そこでこの発明は、上記のような従来の問題を解決し、遊びを設けた場合でも連結ギヤと被連結ギヤの干渉がなく、ギヤが破損することがないとともに、プロセスカートリッジの装着に際する操作性もよい画像形成装置の駆動装置を提供することを目的とする。
【課題を解決するための手段】
【０００８】
前記課題を解決するために、請求項１に記載の発明は、画像形成装置本体に対して着脱可能に設けたプロセスカートリッジを、該本体に取り付けたとき、プロセスカートリッジ側の連結ギヤを本体側の被連結ギヤに噛み合わせ、本体側の駆動源の回転を前記被連結ギヤを介してプロセスカートリッジ側の連結ギヤに伝達して駆動する画像形成装置の駆動装置において、前記被連結ギヤは駆動源と直接的又は間接的に連結して回転可能な第１ギヤと前記連絡ギヤと噛み合う第２ギヤとからなり、前記第１ギヤと第２ギヤの間には第２ギヤが第１ギヤに対して第１ギヤの回転方向に相対的に所定量移動可能とする遊びが設けられているとともに、第２ギヤを前記遊び内で第１ギヤの回転方向とは逆方向に付勢する付勢部材を備えていることを特徴とする。
【０００９】
請求項２に記載の発明は、請求項１に記載の駆動装置において、プロセスカートリッジの取り付け方向は、遊び内を第２ギヤが移動する方向と同じ向きとなっていることを特徴とする。請求項３に記載の発明は、請求項１又は２に記載の駆動装置において、第１ギヤと第２ギヤは、同じ軸上で、且つ所定量だけ相対的に回動自在に構成されていることを特徴とする。
【００１０】
請求項４に記載の発明は、請求項１ないし３のいずれかに記載の駆動装置において、付勢部材は、弾性体からなっていることを特徴とする。請求項５に記載の発明は、請求項４に記載の駆動装置において、弾性体は、引張りスプリング、圧縮スプリング、あるいは板バネのいずれかであることを特徴とする。
【００１１】
請求項６に記載の発明は、請求項１ないし５のいずれかに記載の駆動装置において、遊びは、第１ギヤに設けられた孔部と、該孔部に嵌合する第２ギヤの突起部との間であって、第１ギヤの回転方向側に設けられていることを特徴とする。請求項７に記載の発明は、請求項６に記載の駆動装置において、孔部と突起部は、複数設けられていることを特徴とする。請求項８に記載の発明は、請求項６又は７に記載の駆動装置において、孔部と突起部の間に緩衝材が設けられていることを特徴とする。
【００１２】
請求項９に記載の発明は、請求項１ないし８のいずれかに記載の駆動装置において、遊びは、第２ギヤの少なくとも一歯以上の間隔で設けられていることを特徴とする。請求項１０に記載の発明は、請求項１ないし９のいずれかに記載の駆動装置において、第１ギヤは金属製であり、第２ギヤは樹脂製であることを特徴とする。
【発明の効果】
【００１３】
この発明は、前記のようであって、被連結ギヤは駆動源と直接的又は間接的に連結して回転可能な第１ギヤと前記連絡ギヤと噛み合う第２ギヤとからなり、第１ギヤと第２ギヤの間には第２ギヤが第１ギヤに対して第１ギヤの回転方向に相対的に所定量移動可能とする遊びが設けられているとともに、第２ギヤを前記遊び内で第１ギヤの回転方向とは逆方向に付勢する付勢部材を備えているので、従来のように連結ギヤと被連結ギヤの歯先と歯先が当たってギヤを破損してしまったり、プロセスカートリッジが取り付けにくいといったこともなく、プロセスカートリッジの脱着性を向上することができる。また、画像形成装置本体側の被連結ギヤに付勢部材を設けているため、消耗品であるプロセスカートリッジに付勢部材を設けるのに比べてコストを低減することができる。また、被連結ギヤの破損防止対策のため被連結ギヤを金属化しても、プロセスカートリッジ側のギヤを金属化するのに比べて少ないコストでギヤ破損対策を実現することが可能となるという優れた効果が期待できる。
【発明を実施するための最良の形態】
【００１４】
以下、この発明を適用した画像形成装置として、電子写真方式のプリンタ（以下、単にプリンタという）の一実施の形態について説明する。
【００１５】
まず、プリンタの基本的な構成について説明する。図１は、本プリンタを示す概略構成図である。同図において、このプリンタは、本体にプロセスカートリッジ１を備えている。プロセスカートリッジ１は後記感光体等を含む現像装置２を有している。このプロセスカートリッジ１や、現像装置２は、画像形成物質を用い、画像を形成するが、寿命到達時に交換される。
【００１６】
３は光走査装置で、この光走査装置３は、光書込回路の制御信号に基づいて発したレーザービームにより、プロセスカートリッジ１におけるそれぞれの感光体を光走査する。この光走査により、感光体には静電潜像が形成される。なお、光走査装置３は、レーザー発振器から発したレーザービームを、モータによって回転駆動したポリゴンミラーで偏向させながら、複数の光学レンズやミラーを介して感光体に照射するものである。
【００１７】
図中下方には、紙収容カセット４、これらに組み込まれた給紙ローラ５などを有する紙収容手段が配設されている。紙収容カセット４は、転写紙Ｐを複数枚重ねて収納しており、それぞれの一番上の転写紙Ｐには給紙ローラ５を当接させている。給紙ローラ５が駆動手段によって図中反時計回りに回転されると、一番上の転写紙Ｐが給紙路６に向けて送り出される。
【００１８】
この給紙路６の付近には、レジストローラ対７が配設されている。レジストローラ対７は、転写紙Ｐを挟み込むべく両ローラを回転させるが、挟み込んですぐに回転を一旦停止させる。そして、転写紙Ｐを適切なタイミングで現像装置２に向けて送り出す。図示しない駆動モータを駆動すると、同軸に設けられている後記モータギヤ１４をはじめ駆動ギヤ列９が回転させられ、感光体１０が回転される。これにより感光体１０上に形成されたトナー像は、転写紙Ｐ上に転写される。このトナー像は、転写紙Ｐとともに定着装置１１に送られて、転写紙Ｐの表面に定着せしめられる。定着装置１１内で画像の定着処理が施された転写紙Ｐは、定着装置１１を出た後、排紙ローラ対１２を経由して、プリンタ筺体の上面に設けられたスタック部１３上にスタックされる。なお、駆動ギヤ列９はそれぞれハスバ歯車からなっている。
【００１９】
図２は、プロセスカートリッジ１が本体側に装着前の状態、図３は、プロセスカートリッジ１が本体側に装着された状態、のそれぞれ図４の背面側からみたギヤ配置の概略図である。モータギヤ１４には後記第２ギヤと被連結ギヤを構成する第１ギヤとしての大径アイドラギヤ１５が噛み合い、該アイドラギヤの軸上には第２ギヤとしてのギヤ１６が同軸に設けられている。１７はプロセスカートリッジ１の感光体１０と同軸に設けられた感光体ギヤで、前記被連結ギヤに対応する連結ギヤとして機能し、プロセスカートリッジ１の装着時にその軸部がガイド１８に沿って案内されてガイド端の所定位置に装着されると、図３に示すようにギヤ１６に噛み合う。これにより前記駆動モータの回転駆動力が、これらギヤ１４，１５，１６，１７を介して感光体１０に伝達される。この実施の形態では、アイドラギヤ１５は金属製、ギヤ１６は樹脂製となっている。しかし、ギヤ１５，１６の材質は必ずしもこれら材質に限定するものではなく、任意のものを選択することができる。前記アイドラギヤ１５とギヤ１６は駆動ギヤ列９の一部を構成する。
【００２０】
図４，５，６及び７から明らかなように、本体側のアイドラギヤ１５は、その中心軸回りの一側に他側が開口した中空円筒状のボス部１５ａを有し、このボス部１５ａの側面には円周方向に等間隔で略台形の形状の孔部２０が同じ大きさで複数（ここでは３個）設けられている。図４，５において１５ｂは軸受筒で、ボス部１５ａと一体に、且つ同心状に設けられている。一方、このアイドラギヤ１５の孔部２０と対面して取り付け時に接するギヤ１６の側面には円周方向に等間隔で、孔部２０にそれぞれ遊嵌する突起部２１が同数設けられている。そして、この突起部２１と孔部２０との間には遊び２２が設けられている。突起部２１には引張りスプリング２３が設けられ、図６に示すように突起部２１を孔部２０の側縁に係合するように付勢して、アイドラギヤ１５に対してギヤ１６を図２の矢印ａで示す回転方向片寄せにしている。
【００２１】
すなわち、図６に詳示するように引張りスプリング２３がギヤ１６の突起部２１の先端部にその一端を係止し、かつアイドラギヤ１５のボス部１５ａ内に設けた突部２８に他端を係止して介装され、これによりギヤ１６がプロセスカートリッジ１の装着側に片寄せの状態になるとともに、ギヤ１５の回転方向（図３で矢印ｂで示す方向）側に遊び２２が形成されるようになっている。従って、感光体ギヤ１７が組み込まれているプロセスカートリッジ１を本体側に装着する際に、図２から図３に示すように感光体ギヤ１７がギヤ１６と噛み合いながら本体側に押し込まれても、ギヤ１６は押し込み方向（図３で矢印ｂで示す方向）に遊び２２の分だけ回転できることになるので、プロセスカートリッジ１を本体側にスムーズに装着することが可能となる一方、感光体ギヤ１７とギヤ１６の歯先と歯先が当たって破損するようなことがなくなる。
【００２２】
また、本体側のギヤ１５、１６に遊び２２及び片寄せをする引張りスプリング２３が設けられているため、サプライ品であるプロセスカートリッジ１のコストを抑えながらプロセスカートリッジ１の脱着性の向上やギヤの破損防止を図ることが可能となる。前記した孔部２０と突起部２１、これら両者間に設けられる遊び２２と引張りスプリング２３との関係は、ギヤ側面側から見ると図８に示すようになる。
【００２３】
前記のように上流側のアイドラギヤ１５と同軸上に回転自在の下流側のギヤ１６を有することで、遊び２２を設けることができる。しかも、遊び２２を孔部２０と突起部２１とで形成することで、上流側のアイドラギヤ１５と下流側のギヤ１６を、遊び２２を設けて駆動伝達することができ、また、その個数を複数にすることで、１つにかかる負荷を軽減することができる。
【００２４】
また、ギヤ１６の少なくとも一歯以上の間隔で遊び２２を設けることで、プロセスカートリッジ１の装着時に十分な遊び幅を確保することができる。
【００２５】
なお、この実施の形態では、回転方向片寄せする付勢部材（弾性体）として、引張りスプリング２３を示したが、引張りスプリング２３に代えて圧縮スプリングを用いてもよく、あるいは図９に示すように板バネ２４を用いてもよい。これにより片寄せ力を調節することができる。
【００２６】
また、この実施の形態で示した遊び２２を設ける孔部２０と突起部２１は、好ましい一例であって、互いに遊嵌する凹と凸の関係として設けるものであれば、必ずしもこのような形状のものとしなくてもよい。また、個数も３個に限らず１個でもよく任意である。さらに、この実施の形態ではアイドラギヤ１５に孔部２０を設ける一方、ギヤ１６に孔部２０に係合する突起部２１を設けるものについて説明したが、これに限定されるものではなく、アイドラギヤ１５に突起部２１を設ける一方、ギヤ１６に孔部２０を設けるようにしてもよい。その場合には、遊び２２は図３矢印ｂ方向とは逆方向（つまり図２の矢印ａ方向）に形成されようにすることが必要となる。
【００２７】
図１０は、ギヤ１６の孔部２０内に緩衝材２６を、孔部２０の側縁と突起部２１に介在させて設けている。この場合、緩衝材２６は孔部２０の側縁に固着させるか、あるいは突起部２１に固着させることになる。これにより突起部２１が孔部２０の側縁に直接衝合するのを防止して駆動時の振動を吸収することができ、感光体１０への振動を抑制することができる。なお、緩衝材２６は図示では１つの孔部２０内に設けているが、複数の孔部２０のすべてに設けることは言うまでもない。
【００２８】
次に、実施の形態の作用を説明する。前記したプリンタでは、記録を開始する前に既に常態として引張りスプリング２３によりアイドラギヤ１５の孔部２０の側縁とギヤ１６の突起部２１が互いに係合した状態になっている。
【００２９】
このような係合状態で駆動モータを駆動してモータギヤ１４を回転すると、アイドラギヤ１５が回転方向ｂに回転するとともに、ギヤ１６が互いに係合する孔部２０の側縁と突起部２１を介して同期して回転する。そして、ギヤ１６と噛み合っている感光体ギヤ１７が回転することにより感光体１０を回転する。
【００３０】
しかして、プロセスカートリッジ１を、例えば新しいものと交換するために取り出すときは、図示しない正面カバーを開ける。そして、プロセスカートリッジ１を、図２に示すように、その位置決め用の軸部をガイド１８で案内してプロセスカートリッジ１を正面側に取り出す。このとき、本体側の駆動ギヤ列９の方より、感光体ギヤ１７を含むプロセスカートリッジ１内に有するギヤ列（図示省略）の方が回転負荷が大きいため、このプロセスカートリッジ１の取り出し動作に応じ、駆動ギヤ列９の方を図２中矢印ａで示す方向に回転して両ギヤ１７・１６の噛み合いを外す。
【００３１】
しかる後、新しいプロセスカートリッジ１を装着するときは、位置決め用の軸部をすべらせながらガイド１８で案内し、図３に示すように、ガイド先端側の所定位置に位置決めする。
【００３２】
このとき、プロセスカートリッジ１側の感光体ギヤ１７が本体側のギヤ１６と歯先同士で噛み合いながら本体側に押し込まれても、ギヤ１６に回転方向ｂの回転力が作用することにより、ギヤ１６が突起部２１と孔部２０との間に形成された遊び２２の分だけ引張りスプリング２３の付勢力に抗して回転方向ｂに回転するので、プロセスカートリッジ１の本体側への装着をスムーズに行うことができる。また、従来のようにプロセスカートリッジ側の感光体ギヤと本体側のギヤの歯先と歯先が当たるようなことがないので、感光体ギヤ１７やギヤ１６の歯先の破損もなくなる。
【００３３】
前記のようであって、実施の形態ではアイドラギヤ１５に設けた孔部２０にギヤ１６に設けた突起部２１を遊嵌し、この突起部２１を引張りスプリング２３によって孔部２０の側縁に係合し、これによって両者間に遊び２２を設けるようにしたので、プロセスカートリッジ１を本体側に装着するときに、感光体ギヤ１７がギヤ１６に接しても遊び２２によってその歯先同士が当たるのを回避し、スムーズな装着を行うことができる。また、装着を外すときにもスムーズな取り外しが可能となり、従来のもののような脱着に際してギヤが干渉して歯先が欠損するようなこともなく、長期にわたり好適な作動を期待することができる。
【００３４】
次に、特許請求の範囲の請求項２以下に記載した発明の特有な効果について説明する。請求項２に記載した発明によれば、プロセスカートリッジの取り付け方向は、遊び内を第２ギヤが移動する方向と同じ向きとなっているので、ギヤが駆動時に遊び内での回転変動を抑制することができる。請求項３に記載した発明によれば、第１ギヤと第２ギヤは、同じ軸上で、且つ所定量だけ相対的に回動自在に構成されているので、同一軸上で第１ギヤと第２ギヤで遊びを設けることができる。
【００３５】
請求項４に記載した発明によれば、付勢部材は、弾性体からなっているので、プロセスカートリッジ取り付け時でも、ギヤが干渉することなく常に回転方向片寄せの状態にすることができる。請求項５に記載した発明によれば、弾性体は、引張りスプリング、圧縮スプリング、板バネのいずれかであるので、プロセスカートリッジ取り付け時でも、ギヤが干渉することなく常に回転方向片寄せの状態にすることができる。請求項６に記載した発明によれば、遊びは、第１ギヤに設けられた孔部と、該孔部に嵌合する第２ギヤの突起部との間であって、第１ギヤの回転方向側に設けられているので、上流側のギヤと下流側のギヤを遊びを設けて駆動伝達することができる。
【００３６】
請求項７に記載した発明によれば、孔部と突起部は、複数設けられているので、１つにかかる負荷を軽減することができる。請求項８に記載した発明によれば、孔部と突起部との間に緩衝材が設けられているので、回転方向片寄せになったときの衝撃を吸収することができる。
【００３７】
請求項９に記載した発明によれば、遊びは、第２ギヤの少なくとも一歯以上の間隔で設けられているので、ギヤ連結のとき、プロセスカートリッジの脱着性向上やギヤの破損防止を図ることができる。請求項１０に記載の発明は、被連結ギヤの第１ギヤが金属製、第２ギヤが樹脂製で、少なくとも被連結ギヤの一部が金属化したギヤ破損対策を講じているので、このような対策をプロセスカートリッジに講じるものに比べてプロセスカートリッジのコストダウンを図ることが可能となる。
【図面の簡単な説明】
【００３８】
【図１】この発明の一実施の形態として示すプリンタの概略図である。
【図２】プロセスカートリッジが本体側に装着前の状態のギヤの配置を示す概略図である。
【図３】プロセスカートリッジが本体側に装着された状態のギヤの配置を示す概略図である。
【図４】被連結ギヤであるアイドラギヤとギヤの取り付け前の状態の斜視図である。
【図５】取り付け後の状態のアイドラギヤとギヤの断面図である。
【図６】取り付け後のアイドラギヤの孔部とギヤの突起部との間に遊びが形成される状態を示す部分拡大図である。
【図７】孔部が設けられたアイドラギヤと突起部が設けられたギヤを示す図面である。
【図８】遊びを示す部分拡大図である。
【図９】弾性体の変形例を示す図面である。
【図１０】緩衝材を設けた例を示す図面である。
【符号の説明】
【００３９】
１  プロセスカートリッジ
２  現像装置
３  光走査装置
４  紙収容カセット
９  駆動ギヤ列
１０  感光体
１４  モータギヤ
１５  アイドラギヤ
１６  ギヤ
１７  感光体ギヤ
２０  孔部
２１  突起部
２２  遊び
２３  引張りスプリング
２４  板バネ
２６  緩衝材
２８  突部
【図１】
2008145877.tif 000003
【図２】
2008145877.tif 000004
【図３】
2008145877.tif 000005
【図４】
2008145877.tif 000006
【図５】
2008145877.tif 000007
【図６】
2008145877.tif 000008
【図７】
2008145877.tif 000009
【図８】
2008145877.tif 000010
【図９】
2008145877.tif 000011
【図１０】
2008145877.tif 000012